(57)【特許請求の範囲】
【請求項１】
軒樋と軒先との隙間を隠すための隙間カバーがカバー取付具を介して軒樋吊具に取り付けられる構造において、上記カバー取付具は、弾性を有する逆Ｕ字状部材とその両脚片の先端から互いに反対方向に向けて一対の係止片とを備えており、上記逆Ｕ字状部材の両脚片のうち一方の脚片の外側面に連結用の縦リブが突設され、この縦リブが軒樋吊具と一体化されており、上記隙間カバーの上面側には対向する一対の係止溝が設けられ、隙間カバーの上側からカバー取付具の両係止片を両係止溝に各々弾性係止させてなることを特徴とする隙間カバーの取り付け構造。
【請求項２】
軒樋と軒先との隙間を隠すための複数の隙間カバーを備えると共に、隣り合う隙間カバーの長手方向の突き合わせ端部がカバー連結具を介して互いに連結される構造において、上記カバー連結具は、弾性を有する連結用逆Ｕ字状部材とその両脚片の先端から互いに反対方向に向けて一対の連結用係止片とを備えており、上記逆Ｕ字状部材の両脚片のうち一方の脚片の外側面に連結用の縦リブが突設され、この縦リブが軒樋吊具と一体化されており、上記隣り合う隙間カバーの各突き合わせ端部の上面側には対向する一対の係止溝がそれぞれ設けられ、隙間カバーの上側からカバー連結具の一方の連結用係止片を両隙間カバーにおける各一方の係止溝に跨って係止させると共に、カバー連結具の他方の連結用係止片を両隙間カバーにおける各他方の係止溝に跨って弾性係止させてなることを特徴とする請求項１記載の隙間カバーの取り付け構造。
【請求項３】
隙間カバーの上面の両側には一対の突条部が突設され、両突条部の対向する内面に、係止溝がそれぞれ形成されていることを特徴とする請求項１又は請求項２記載の隙間カバーの取り付け構造。
【発明の詳細な説明】
【０００１】
【発明の属する技術分野】
本発明は、隙間カバーの取り付け構造に関するものである。
【０００２】
【従来の技術】
一般に軒先の鼻板に勾配がつく仕様にあっては、軒樋と軒先の鼻板との隙間が広がり、そのために隙間カバーを用いて隙間を覆い隠すようにしている。従来では、隙間カバーを鼻板に取り付けている場合が多く見られる。このような場合は、隙間カバーを鼻板に取り付けるための専用の取付金具が必要となり、しかも、鼻板に対して取付金具を取り付ける作業と、取付金具に対して隙間カバーを取り付ける作業とが別々に必要となり、このためネジ止め等の箇所が増えて隙間カバーの取り付け施工に手間がかかるという問題や、取付金具が軒下から見えるような仕様となっているため、外観上見苦しいという問題があった。また、複数の隙間カバーを連結するにあたって、隙間カバーの長手方向の端部を継手を用いて連結しているが、従来では継手が軒下から見える仕様となっているため、隙間カバーの端部の外観も悪くなるという問題があった。
【０００３】
【発明が解決しようとする課題】
本発明は、上記の従来例の問題点に鑑みて発明したものであって、その目的とするところは、軒樋吊具に対して隙間カバーをワンタッチで且つ外観良く取り付け可能とした隙間カバーの取り付け構造を提供するにあり、他の目的とするところは、隣り合う隙間カバー同士の連結をワンタッチで且つ外観良く取り付け可能とした隙間カバーの取り付け構造を提供するにあり、更に他の目的とするところは、隙間カバーに排水機能を持たせることができる隙間カバーの取り付け構造を提供するにある。
【０００４】
【課題を解決するための手段】
上記課題を解決するために請求項１記載の発明にあっては、軒樋１と軒先２との隙間を隠すための隙間カバー３がカバー取付具４を介して軒樋吊具５に取り付けられる構造において、上記カバー取付具４は、弾性を有する逆Ｕ字状部材６とその両脚片６ａ，６ｂの先端から互いに反対方向に向けて一対の係止片７，８とを備えており、上記逆Ｕ字状部材６の両脚片６ａ，６ｂのうち一方の脚片６ａ（又は６ｂ）の外側面に連結用の縦リブ１５が突設され、この縦リブ１５が軒樋吊具５と一体化されており、上記隙間カバー３の上面３ａ側には対向する一対の係止溝９，１０が設けられ、隙間カバー３の上側からカバー取付具４の両係止片７，８を両係止溝９，１０に各々弾性係止させてなることを特徴としており、このように構成することで、カバー取付具４の逆Ｕ字状部材６の脚片６ａ，６ｂを指で撓ませながら、逆Ｕ字状部材６の両係止片７，８を隙間カバー３の両係止溝９，１０にワンタッチで弾性係止させることができ、軒樋吊具５と一体に設けられたカバー取付具４に対して隙間カバー３の取り付けが簡単にできるようになり、しかも、カバー取付具４は隙間カバー３の上面３ａ側に配置されるため軒下から見えないようにすることができる。さらに、逆Ｕ字状部材６の脚片６ａ又は６ｂの外側面に設けた連結用の縦リブ１５が、軒樋吊具５との連結リブとして機能する以外に、逆Ｕ字状部材６の補強リブをも兼ねるようになり、カバー取付具４の強度向上が図られる。
【０００５】
また請求項２記載の発明にあっては、請求項１において、軒樋１と軒先２との隙間を隠すための複数の隙間カバー３を備えると共に、隣り合う隙間カバー３の長手方向Ａの突き合わせ端部３ｂ，３ｃがカバー連結具１１を介して互いに連結される構造において、上記カバー連結具１１は、弾性を有する連結用逆Ｕ字状部材１６とその両脚片１６ａ，１６ｂの先端から互いに反対方向に向けて一対の連結用係止片１７，１８とを備えており、上記逆Ｕ字状部材６の両脚片６ａ，６ｂのうち一方の脚片６ａ（又は６ｂ）の外側面に連結用の縦リブ１５が突設され、この縦リブ１５が軒樋吊具５と一体化されており、上記隣り合う隙間カバー３の各突き合わせ端部３ｂ，３ｃの上面側には対向する一対の係止溝９，１０がそれぞれ設けられ、隙間カバー３の上側からカバー連結具１１の一方の連結用係止片１７（又は１８）を両隙間カバー３における各一方の係止溝９（又は１０）に跨って係止させると共に、カバー連結具１１の他方の連結用係止片１８（又は１７）を両隙間カバー３における各他方の係止溝１０（又は９）に跨って弾性係止させてなることを特徴とするのが好ましく、この場合、カバー連結具１１の連結用逆Ｕ字状部材１６の脚片１６ａ，１６ｂを指で撓ませながら、連結用逆Ｕ字状部材６の両連結用係止片１７，１８を隙間カバー３の突き合わせ端部３ｂ，３ｃにおいて両係止溝９，１０にワンタッチで各々弾性係止させることができ、カバー連結具１１による隙間カバー３同士の連結作業が簡単にできるようになり、しかも、カバー連結具１１は隙間カバー３の突き合わせ端部３ｂ，３ｃの上面側に配置されて軒下から見えないようにすることができ、さらにカバー連結具１１を軒樋吊具５に取り付ける必要もない。さらに、逆Ｕ字状部材６の脚片６ａ又は６ｂの外側面に設けた連結用の縦リブ１５が、軒樋吊具５との連結リブとして機能する以外に、逆Ｕ字状部材６の補強リブをも兼ねるようになり、カバー取付具４の強度向上が図られる。
【０００６】
また請求項３記載の発明は、請求項１又は請求項２において、隙間カバー３の上面３ａの両側には一対の突条部１２が突設され、両突条部１２の対向する内面に、係止溝９，１０がそれぞれ形成されていることを特徴とするのが好ましく、この場合、突条部１２にて隙間カバー３自体の強度が向上すると共に、突条部１２は下からは見えないために外観が良く、さらに隙間カバー３内に水が浸入しても、両側の突条部１２によって隙間カバー３自体が排水機能を持つようになる。
【０００７】
【発明の実施の形態】
以下、本発明を添付図面に示す実施形態に基づいて説明する。
【０００８】
本実施形態の軒樋吊具５は、図１に示すように、軒樋１の前耳部２１が係止される前耳係止部２２と、軒樋１の後耳部２３が係止される後耳係止部２４と、鼻板１３に固定される鼻板固定部１４とが一体に設けられている。軒樋１の前耳部２１を前耳係止部２２に係止させ、軒樋１の後耳部２３を後耳係止部２４に係止させることで、軒樋１が軒樋吊具５に対して吊り下げ支持される。また、鼻板固定部１４を鼻板１３に固定することで軒樋吊具５が軒先２に固定される。鼻板１３は勾配を有しており、この鼻板１３と軒樋１との隙間を隠すために隙間カバー３が配置されている。この隙間カバー３は、カバー取付具４を介して軒樋吊具５に取り付けられる。
【０００９】
カバー取付具４は、軒樋吊具５と一体に設けられており、図１、図３に示すように、弾性を有する逆Ｕ字状部材６とその両脚片６ａ，６ｂの先端から互いに反対方向に向けて一対の係止片７，８とが一体形成されている。両脚片６ａ，６ｂは互いに近接・離反する方向に弾性変形自在となっている。また一方の脚片６ａ（又は６ｂでもよい）の外側面には連結用の縦リブ１５が突設されており、この縦リブ１５が軒樋吊具５の鼻板固定部１４の下面側に一体に取り付けられており、これにより、カバー取付具４は軒樋吊具５と一体化されている。
【００１０】
上記隙間カバー３は、図２に示すように、軒先２に沿って延びる帯板状に形成されている。なお図２中の３０は軒樋用継手、３１は連結片３１ａ，３１ｂを有する隙間カバー用継手であり、直交する隙間カバー３，３同士を連結するために用いられる。隙間カバー３の幅方向の両端側には、断面略ロ字状の突条部１２，１２が上方に向かって突設されている。両突条部１２は隙間カバー３の全長に亘って形成されており、両突条部１２の内面には係止溝９，１０がそれぞれ設けられている。本例では、図４に示すように、両突条部１２，１２の対向する内側面をそれぞれ凹溝状に凹ませることで、側方に開口し且つ互いに対向する一対の係止溝９，１０が形成されており、各係止溝９，１０に対して前記カバー取付具４の一対の係止片７，８が各々弾性係止できるようになっている。
【００１１】
隙間カバー３を取り付けるにあたっては、図４（ａ）のように、隙間カバー３の上側からカバー連結具１１の逆Ｕ字状部材６の一方の係止片７を、隙間カバー３の一方の係止溝９に挿入し、その後、図４（ｂ）の矢印で示すように、逆Ｕ字状部材６の脚片６ｂを指で撓ませながら、逆Ｕ字状部材６の他方の係止片８を、隙間カバー３の他方の係止溝１０に係止させる。その後、逆Ｕ字状部材６から指を離すと、逆Ｕ字状部材６の復帰力で逆Ｕ字状部材６の両脚片６ａ，６ｂが互いに離反する方向に付勢されて、図４（ｃ）のように係止片７，８と係止溝９，１０とが確実に係合された状態となる。
【００１２】
しかして、軒樋吊具５と一体にカバー取付具４を設け、このカバー取付具４を利用して隙間カバー３を軒樋吊具５に対して簡単に取り付けることができるので、施工がきわめて容易となる。しかも、カバー取付具４は隙間カバー３の上面の内側に配置されるので、カバー取付具４が軒下からは見えず、隙間カバー３の外観性を向上させることができる。
【００１３】
また、カバー取付具４の逆Ｕ字状部材６は弾性を有しているので、指で逆Ｕ字状部材６を挟みながらいわゆるパッチン方式で係止片７，８と係止溝９，１０とをワンタッチで係止させることができるので、例えば、片方の手で隙間カバー３の端面を持ちながら、もう片方の手でカバー取付具４の取り付け作業が可能となり作業効率が良くなる。また隙間カバー３の内側（突条部１２，１２で囲まれた部分）が狭くて手が入らない場合でも、逆Ｕ字状部材６の両脚片６ａ，６ｂを指で挟んで取り付けができるので、隙間カバー３のどのような形状にも広く対応可能となる。さらに脚片６ａ，６ｂの外側面に設けた連結用の縦リブ１５が、軒樋吊具５との連結リブとして機能する以外に、逆Ｕ字状部材６の補強リブをも兼ねるようになり、カバー取付具４の強度向上が図られている。
【００１４】
また、本例では、隙間カバー３の左右両端部に上方に向かって断面略ロ字状の突条部１２をそれぞれ突設させているので、隙間カバー３自体の強度が確保されるうえに、突条部１２は下からは見えないため、外観が良く、また隙間カバー３内に水が浸入しても、両側の突条部１２によって水を隙間カバー３の長手方向Ａの端部に導いて排水できる構造となり、これにより隙間カバー３に排水機能を持たせることができ、隙間カバー３の雨仕舞いが良くなる。
【００１５】
図５、図６は、軒樋１と軒先２との隙間を隠すために複数の隙間カバー３を備える場合において、隣り合う隙間カバー３の長手方向Ａの突き合わせ端部３ｂ，３ｃをカバー連結具１１を用いて互いに連結した場合の一例を示している。カバー連結具１１は、図２に示すように、隣り合う隙間カバー３の長手方向Ａの突き合わせ端部３ｂ，３ｃに配置されて、隙間カバー３同士を連結するものであり、図５に示すように、弾性を有する連結用逆Ｕ字状部材６とその両脚片１６ａ，１６ｂの先端から互いに反対方向に向けて一対の連結用係止片１７，１８とが一体形成されている。両脚片１６ａ，１６ｂは互いに近接・離反する方向に弾性変形自在となっている。このカバー連結具１１は、前記実施形態のカバー取付具４とは基本的に同じ構造を有しているが、カバー取付具４のように軒樋吊具５と一体に設けられるのではなく、単体で使用されて、隙間カバー３の長手方向Ａの端部同士を連結する役割を果たすものである。
【００１６】
このカバー連結具１１を用いて、隣り合う隙間カバー３の突き合わせ端部３ｂ，３ｃを連結するにあたっては、前記図４（ａ）〜（ｂ）で示すカバー取付具４と同様な取り付け方法で行うことができる。先ず、隙間カバー３の上側からカバー連結具１１の連結用逆Ｕ字状部材６の一方の連結用係止片１７を、両隙間カバー３の突き合わせ端部における一方の係止溝９，９に跨って係止させ、この状態で、連結用逆Ｕ字状部材１６の脚片１６ａ，１６ｂを指で内側に撓ませながら、連結用逆Ｕ字状部材１６の他方の連結用係止片１８を、両隙間カバー３の突き合わせ端部における他方の係止溝１０，１０に跨って係止させる。このとき連結用逆Ｕ字状部材１６から指を離すと、連結用逆Ｕ字状部材１６の復帰力でその両脚片１６ａ，１６ｂが互いに離反する方向に付勢されて、各連結用係止片１７，１８と各係止溝９，１０とがそれぞれ弾性係止され、図６に示すように、カバー連結具１１を介して隙間カバー３同士が互いに連結された状態となる。
【００１７】
従って、上記実施形態のカバー取付具４の場合と同様、カバー連結具１１の隙間カバー３に対する取り付けが容易となり、作業性を向上させることができるものであり、また、隙間カバー３の突き合わせ端部３ｂ，３ｃをカバー連結具１１を用いてワンタッチでしかも確実に連結できると共に、カバー連結具１１は、隙間カバー３の内側に配置されるので、隙間カバー３の連結部分の外観性が向上するものである。さらに、カバー連結具１１は、カバー取付具４とは異なり、軒樋吊具５には設けられず、また単体で使用されるため、鼻板１３などに取り付ける必要もないので、施工性が一層良くなる。
【００１８】
【発明の効果】
上述のように請求項１記載の発明にあっては、軒樋と軒先との隙間を隠すための隙間カバーがカバー取付具を介して軒樋吊具に取り付けられる構造において、上記カバー取付具は、弾性を有する逆Ｕ字状部材とその両脚片の先端から互いに反対方向に向けて一対の係止片とを備えており、上記逆Ｕ字状部材の両脚片のうち一方の脚片の外側面に連結用の縦リブが突設され、この縦リブが軒樋吊具と一体化されており、上記隙間カバーの上面側には対向する一対の係止溝が設けられ、隙間カバーの上側からカバー取付具の両係止片を両係止溝に各々弾性係止させてなるので、カバー取付具の逆Ｕ字状部材の脚片を指で撓ませながら、逆Ｕ字状部材の両係止片を隙間カバーの両係止溝にワンタッチで弾性係止させることができ、軒樋吊具と一体に設けられたカバー取付具に対して隙間カバーの取り付けが簡単にでき、施工が容易となる。しかも、カバー取付具は隙間カバーの上面側に配置されるので、カバー取付具が軒下から見えず、隙間カバーの外観性を向上させることができる。さらに、逆Ｕ字状部材の脚片の外側面に設けた連結用の縦リブが、軒樋吊具との連結リブとして機能する以外に、逆Ｕ字状部材の補強リブをも兼ねるようになり、カバー取付具の強度向上が図られる。
【００１９】
また請求項２記載の発明にあっては、軒樋と軒先との隙間を隠すための複数の隙間カバーを備えると共に、隣り合う隙間カバーの長手方向の突き合わせ端部がカバー連結具を介して互いに連結される構造において、上記カバー連結具は、弾性を有する連結用逆Ｕ字状部材とその両脚片の先端から互いに反対方向に向けて一対の連結用係止片とを備えており、上記逆Ｕ字状部材の両脚片のうち一方の脚片の外側面に連結用の縦リブが突設され、この縦リブが軒樋吊具と一体化されており、上記隣り合う隙間カバーの各突き合わせ端部の上面側には対向する一対の係止溝がそれぞれ設けられ、隙間カバーの上側からカバー連結具の一方の連結用係止片を両隙間カバーにおける各一方の係止溝に跨って係止させると共に、カバー連結具の他方の連結用係止片を両隙間カバーにおける各他方の係止溝に跨って弾性係止させてなるので、カバー連結具の連結用逆Ｕ字状部材の脚片を指で撓ませながら、連結用逆Ｕ字状部材の両連結用係止片を隙間カバーの突き合わせ端部において両係止溝にワンタッチで各々弾性係止させることができ、カバー連結具による隙間カバー同士の連結作業が簡単にでき、施工が容易となる。しかも、カバー連結具は隙間カバーの突き合わせ端部の上面側に配置されるので、カバー連結具が軒下から見えず、隙間カバーの連結部分の外観性を向上させることができる。そのうえカバー連結具は、軒樋吊具には取り付けられずに単体で使用されるため、取り扱いがし易く、鼻板などに取り付ける必要もないので、作業効率が一層良くなる。さらに、逆Ｕ字状部材の脚片の外側面に設けた連結用の縦リブが、軒樋吊具との連結リブとして機能する以外に、逆Ｕ字状部材の補強リブをも兼ねるようになり、カバー取付具の強度向上が図られる。
【００２０】
また請求項３記載の発明は、請求項１又は請求項２記載の効果に加えて、隙間カバーの上面の両側には一対の突条部が突設され、両突条部の対向する内面に、係止溝がそれぞれ形成されているので、突条部にて隙間カバー自体の強度が向上すると共に、突条部は下からは見えないために外観が良く、さらに隙間カバー内に水が浸入しても、両側の突条部によって水を隙間カバーの長手方向の端部に導いて排水できる構造となり、これにより隙間カバーに排水機能を持たせることができる。
【図面の簡単な説明】
【図１】本発明の実施形態の一例を示す断面図である。
【図２】同上の軒先に設けられる軒樋、軒樋吊具、隙間カバー等の分解斜視図である。
【図３】（ａ）は同上のカバー取付具の平面図、（ｂ）は正面図、（ｃ）は側面図である。
【図４】（ａ）〜（ｃ）は同上のカバー取付具を隙間カバーに取り付ける方法の説明図である。
【図５】他の実施形態の断面図である。
【図６】同上の隙間カバーの突き合わせ端部をカバー連結具で連結した状態の側面図である。
【符号の説明】
１  軒樋
２  軒先
３  隙間カバー
３ｂ，３ｃ  突き合わせ端部
４  カバー取付具
５  軒樋吊具
６  逆Ｕ字状部材
６ａ，６ｂ  脚片
７，８  係止片
９，１０  係止溝
１１  カバー連結具
１２突条部
１６  連結用逆Ｕ字状部材
１６ａ，１６ｂ  脚片
１７，１８  連結用係止片
Ａ  長手方向
【図１】
0003687539.tif 000002
【図２】
0003687539.tif 000003
【図３】
0003687539.tif 000004
【図４】
0003687539.tif 000005
【図５】
0003687539.tif 000006
【図６】
0003687539.tif 000007